(57)【要約】【課題】端末装置からサーバ装置が管理するデータへのアクセスを、効率的に行うことが可能な端末装置及びサーバ装置を提供する。【解決手段】アクセス権限を示すセキュリティ情報を取得する第１取得手段と、コンテンツの取得先アドレスが設定された一又は複数の操作子を含むアクセス画面を、表示手段に表示する表示制御手段と、前記操作子に対する選択操作を受け付ける操作受付手段と、前記操作受付手段が選択操作を受け付けた前記操作子の前記取得先アドレスに対し、前記セキュリティ情報を付加してアクセスを行うアクセス手段と、前記取得先アドレスのサーバ装置から提供されるコンテンツを取得する第２取得手段と、を備える。【選択図】図６
2014052732.tif 000002
【特許請求の範囲】
【請求項１】
アクセス権限を示すセキュリティ情報を取得する第１取得手段と、
コンテンツの取得先アドレスが設定された一又は複数の操作子を含むアクセス画面を、表示手段に表示する表示制御手段と、
前記操作子に対する選択操作を受け付ける操作受付手段と、
前記操作受付手段が選択操作を受け付けた前記操作子の前記取得先アドレスに対し、前記セキュリティ情報を付加してアクセスを行うアクセス手段と、
前記取得先アドレスのサーバ装置から提供されるコンテンツを取得する第２取得手段と、
を備える端末装置。
【請求項２】
前記操作子には、前記アクセス時に付加する前記セキュリティ情報の種別が定義されており、
前記アクセス手段は、前記操作受付手段が選択操作を受け付けた前記操作子の前記取得先アドレスに対し、当該操作子に定義された種別の前記セキュリティ情報を付加してアクセスを行う請求項１に記載の端末装置。
【請求項３】
ユーザを識別するためのユーザＩＤの入力を受け付ける入力受付手段を更に備え、
前記第１取得手段は、前記入力受付手段で入力を受け付けた前記ユーザＩＤを前記セキュリティ情報として取得する請求項１又は２に記載の端末装置。
【請求項４】
アクセス元の端末装置から、コンテンツの取得先アドレスにアクセス権限を示すセキュリティ情報が付加されたアクセス情報を受け付けるアクセス受付手段と、
前記セキュリティ情報に応じたアクセス範囲で、前記取得先アドレスで指定されたコンテンツを読み出す読出手段と、
前記読出手段が読み出したコンテンツを前記端末装置に提供する提供手段と、
を備えるサーバ装置。
【請求項５】
前記取得先アドレス毎に、前記セキュリティ情報の種別に対応するアクセス範囲を定めたアクセス権限ファイルを記憶する記憶手段を更に備え、
前記読出手段は、前記アクセス権限ファイルに基づき、前記取得先アドレスに付加された前記セキュリティ情報に対応するアクセス範囲で前記コンテンツを読み出す請求項４に記載のサーバ装置。
【請求項６】
前記アクセス受付手段は、ユーザを識別するためのユーザＩＤを前記セキュリティ情報として受け付ける請求項４又は５に記載のサーバ装置。
【発明の詳細な説明】
【技術分野】
【０００１】
本発明の実施形態は、端末装置及びサーバ装置に関する。
【背景技術】
【０００２】
スーパーマーケット等の店舗では、商品販売管理のためＰＯＳシステムが導入されている。係るＰＯＳシステムでは、商品の単価や当該商品の売上登録に係るデータの他、店員や顧客等に関するデータがサーバ装置で一元的に管理され、それらのデータを複数のＰＯＳ端末からアクセス可能に構成されている。また、従来、ＰＯＳ端末を操作するオペレータのランクに応じて、データの編集等の特定業務の実行を制限する技術が提案されている。
【発明の概要】
【発明が解決しようとする課題】
【０００３】
しかしながら、上記従来技術では、オペレータのランクに応じて業務を制限することが可能であるが、ＰＯＳ端末からサーバ装置が管理する各種データへのアクセス方法に関しては何ら考慮されておらず、効率化の観点において更なる改善の余地があった。
【課題を解決するための手段】
【０００４】
実施の形態の端末装置は、第１取得手段と、表示制御手段と、操作受付手段と、アクセス手段とを備える。第１取得手段は、アクセス権限を示すセキュリティ情報を取得する。表示制御手段は、コンテンツの取得先アドレスが設定された一又は複数の操作子を含むアクセス画面を、表示手段に表示する。操作受付手段は、前記操作子に対する選択操作を受け付ける。アクセス手段は、前記操作受付手段が選択操作を受け付けた前記操作子の前記取得先アドレスに対し、前記セキュリティ情報を付加してアクセスを行う。第２取得手段は、前記取得先アドレスのサーバ装置から提供されるコンテンツを取得する。
【図面の簡単な説明】
【０００５】
【図１】図１は、実施形態に係るＰＯＳシステムの概略構成図である。
【図２】図２は、ＰＯＳ端末の構成を概略的に示す外観斜視図である。
【図３】図３は、ＰＯＳ端末の電装系の構成を示すブロック図である。
【図４】図４は、ストアサーバの電装系の構成を示すブロック図である。
【図５】図５は、図４に示したアクセス権限情報のデータ構成の一例を示す図である。
【図６】図６は、ＰＯＳ端末及びストアサーバの機能構成を示すブロック図である。
【図７】図７は、ＰＯＳ端末の表示器に表示されたアクセス画面の一例を示す図である。
【図８】図８は、ＰＯＳ端末で実行されるコンテンツ取得処理の一例を示すフローチャートである。
【図９】図９は、ストアサーバで実行されるコンテンツ提供処理の一例を示すフローチャートである。
【発明を実施するための形態】
【０００６】
以下に添付図面を参照して、本発明にかかる端末装置及びサーバ装置の実施の形態を詳細に説明する。本実施の形態においては、本発明にかかる端末装置及びサーバ装置を、スーパーマーケット等の店舗で用いられるＰＯＳ端末、ストアサーバに適用した例について説明するが、この実施形態によりこの発明が限定されるものではない。
【０００７】
図１は、本実施形態に係るＰＯＳシステム１の概略構成図である。同図に示すように、ＰＯＳシステム１は、複数台（図では２台）のＰＯＳ端末２と、これらのＰＯＳ端末２をＬＡＮ（Local  Area  Network）等のネットワーク３で接続して集中管理するストアサーバ４とで構成される。なお、ネットワーク３に接続されるＰＯＳ端末２の個数は特に問わないものとする。
【０００８】
ＰＯＳ端末２は、精算場所に配設されてキャッシャが売上処理を行うための端末であり、図２に示すような構成とされている。ここで、図２は、ＰＯＳ端末２の構成を概略的に示す外観斜視図である。
【０００９】
ＰＯＳ端末２には、本体２０１の上面側にキーボード２０２が設けられており、本体２０１の下部側にドロワ２０３が引出自在に設けられており、本体２０１の奥側に表示器２０４が設けられている。さらに、ＰＯＳ端末２には、磁気カードである会員カードの挿入を受け付けてその会員カードとの間でデータの授受を行うカードリーダ／ライタ２０５、商品等に付されたバーコード等のコードシンボルを読み取るためのコードスキャナ２０６等が接続されている。
【００１０】
このようなＰＯＳ端末２の電装系は図３に示すように構成されている。ここで、図３は、ＰＯＳ端末２の電装系の構成を示すブロック図である。
【００１１】
ＰＯＳ端末２は、ＣＰＵ（Central  Processing  Unit）、当該ＣＰＵとの協働により売上処理等を実行するための各種制御プログラムを格納するＲＯＭ（Read  Only  Memory）、ＲＡＭ（Random  Access  Memory）等で構成されるコンピュータ構成の制御部２１を備え、バス２２を介して接続された通信インタフェース２３から、ネットワーク３を介してストアサーバ４との間で相互にオンライン通信を実行し得るように構成されている。
【００１２】
また、制御部２１には、バス２２及びＩ／Ｏ機器制御部２４を介して、前述したキーボード２０２、表示器２０４、カードリーダ／ライタ２０５、コードスキャナ２０６が接続されており、さらに、レシート／ジャーナルプリンタであるプリンタ２５が接続されている。このプリンタ２５は、売上処理に伴いレシート用紙及びジャーナル用紙への印刷を行うプリンタであって、本体２０１の内部又は本体２０１の外部に設けられている。
【００１３】
また、制御部２１には、バス２２及びＩ／Ｏ機器制御部２４を介して、ＨＤＤ（Hard  Disk  Drive）やＳＳＤ（Solid  State  Drive）等の記憶媒体を有した記憶部２６が接続されている。記憶部２６は、制御部２１のＣＰＵが実行する各種プログラム、当該プログラムの実行に係る各種設定情報が格納されている。
【００１４】
次に、ストアサーバ４について説明する。ストアサーバ４は、ＰＯＳシステム１全体の制御を受け持ち、その電装系は、例えば図４に示すような構成とされている。ここで、図４は、ストアサーバ４の電装系の構成を示すブロック図である。
【００１５】
ストアサーバ４は、ＣＰＵ、ＲＯＭ、ＲＡＭ等で構成されるコンピュータ構成の制御部４１と、バス４２を介して接続された通信インタフェース４３１から、ネットワーク３を介して複数台のＰＯＳ端末２との間で相互にオンライン通信を実行し得るように構成されている。
【００１６】
また、制御部４１にはバス４２及びＩ／Ｏ機器制御部４４を介して、キーボード４５、表示器４６、プリンタ４７及び記憶部４８が接続されている。
【００１７】
記憶部４８には、制御部４１のＣＰＵが実行する各種プログラムの他、商品マスタファイルＦ１、店員情報ファイルＦ２、顧客情報ファイルＦ３、店舗売上ファイルＦ４及びアクセス権限ファイルＦ５等が格納されている。
【００１８】
ここで、商品マスタファイルＦ１は、商品コードに対応付けて商品名や単価等の商品情報を記憶するファイルである。店員情報ファイルＦ２は、各店員に割り当てられた固有の店員ＩＤ、氏名、役職等の店員情報を記憶するファイルである。顧客情報ファイルＦ３は、会員登録等を行った各顧客に割り当てられた固有の顧客ＩＤ、氏名、連絡先、累積ポイント等の顧客情報を記憶するファイルである。店舗売上ファイルＦ４は、各ＰＯＳ端末２から送信される売上登録データを記憶するファイルである。なお、本実施形態では、商品マスタファイルＦ１、店員情報ファイルＦ２、顧客情報ファイルＦ３及び店舗売上ファイルＦ４に記憶された情報（データ）は、ＰＯＳ端末２にコンテンツとして提供される。
【００１９】
アクセス権限ファイルＦ５は、ＵＲＬの指定によりストアサーバ４が提供する各コンテンツについて、アクセス権限を示す後述するセキュリティ情報毎に、アクセス可能な範囲を定めたアクセス制御情報を記憶するファイルである。ここで、図５は、アクセス権限ファイルＦ５のデータ構成の一例を示す図である。同図に示すように、アクセス権限ファイルＦ５には、各コンテンツ用のＵＲＬ毎に、セキュリティ情報の種別に応じたコンテンツのアクセス範囲が定められている。
【００２０】
例えば、ＵＲＬ“http://www.xxx.co.jp”で提供されるコンテンツ（店員情報ファイルＦ２の店員情報）について、後述する店員セキュリティ情報が、店員ＩＤ“0000001”の場合、店員情報ファイルＦ２に格納された全ての店員情報に対しアクセス範囲が定められている。また、同ＵＲＬで提供されるコンテンツについて、後述するセキュリティ情報が、店員ＩＤ“0000002-0000100”の場合、その店員ＩＤに対応する店員情報にのみアクセス範囲が定められている。また、ＵＲＬ“http://www.yyy.co.jp”で提供されるコンテンツ（顧客情報ファイルＦ３の顧客情報）について、後述するセキュリティ情報が、顧客ＩＤ“10*****”の場合（＊は任意の数値）、その顧客ＩＤに対応する顧客情報にのみアクセス範囲が定められている。また、ＵＲＬ“http://www.zzz.co.jp”で提供されるコンテンツ（店舗売上ファイルＦ４の顧客情報）について、後述するセキュリティ情報が、店員ＩＤ“0000001-0000100”、顧客ＩＤ“10*****”の場合、その店員ＩＤ及び顧客ＩＤに対応する売上登録データにのみアクセス範囲が定められている。
【００２１】
なお、セキュリティ情報に応じて、コンテンツを編集可能（リードライト）で提供するか、閲覧可能（リードオンリー）で提供するかを定める形態としてもよい。また、上記例では、商品マスタファイルＦ１についての設定を省略したが、他のファイルと同様、セキュリティ情報の種別に応じてアクセス範囲（例えば、リードライトまたはリードオンリー）が定められているものとする。
【００２２】
ここで、ＰＯＳシステム１の店舗にて商品が購入された場合の、ＰＯＳ端末２とストアサーバ４とで行われる売上登録処理の動作について説明する。まず、ＰＯＳ端末２の使用開始時において、当該ＰＯＳ端末２を操作する店員は、自身に割り当てられた店員ＩＤ（及びパスワード）を、キーボード２０２やコードスキャナ２０６等を介して入力する。その後、例えば、商品に付されたコードシンボルがＰＯＳ端末２のコードスキャナ２０６によって読み取られると、ＰＯＳ端末２は、このコードシンボルから読み取った商品コードをストアサーバ４に問い合わせを行う。一方、ストアサーバ４では、ＰＯＳ端末２からの問い合わせに応じて商品マスタファイルＦ１を検索し、該当する商品コードに対応した商品情報を読み出してＰＯＳ端末２へ送信する。
【００２３】
また、ＰＯＳ端末２では、ストアサーバ４からの商品名や単価等を受信し、問い合わせした商品コード及び受信した用品名や単価等に基づいて部門別登録や表示器２０４への表示、またプリンタ２５により印字処理を行い、さらに一の取引毎に売上登録したデータ（売上登録データ）に店員ＩＤを含めてストアサーバ４へ送信する。そして、ＰＯＳ端末２から売上登録データを受け付けたストアサーバ４では、この売上登録データを店舗売上ファイルＦ４に累計する。このように、店舗売上ファイルＦ４に累計された売上登録データは、所定のタイミングで図示しない本部サーバに送信される。なお、売上登録時に顧客から顧客カードが提示された場合には、この顧客カードに保持された顧客ＩＤをカードリーダ／ライタ２０５を介して読み出し、店員ＩＤとともに売上登録データに含めるものとする。
【００２４】
次に、図６を参照し、制御部２１、制御部４１がプログラムを実行することでＰＯＳ端末２、ストアサーバ４に実現される、コンテンツの授受に係る機能構成について説明する。
【００２５】
図６は、ＰＯＳ端末２及びストアサーバ４の機能構成を示すブロック図である。図６に示すように、ＰＯＳ端末２の制御部２１は、ＲＯＭや記憶部２６に記憶されたプログラムを順次実行することにより、セキュリティ情報取得部２１１、アクセス処理部２１２及びコンテンツ取得部２１３を機能部として備える。
【００２６】
セキュリティ情報取得部２１１は、ＰＯＳ端末２のキーボード２０２、カードリーダ／ライタ２０５又はコードスキャナ２０６を介して入力された、店員や顧客を識別するための情報をセキュリティ情報として取得する。また、セキュリティ情報取得部２１１は、取得した店員のセキュリティ情報（以下、店員セキュリティ情報という）、顧客のセキュリティ情報（以下、顧客セキュリティ情報という）を、ＲＡＭや記憶部２６に保持する。
【００２７】
具体的に、セキュリティ情報取得部２１１は、ＰＯＳ端末２の使用開始時等に入力される当該ＰＯＳ端末２を使用する店員の店員ＩＤを、セキュリティ情報として取得する。なお、店員ＩＤの入力方法は特に問わず、例えば、各店員に予め配布された店員ＩＤ入力用のコードシンボルを、コードスキャナ２０６で読み取らせることで、店員ＩＤが入力される形態としてもよい。また、店員ＩＤとともにパスワードが入力された場合には、この店員ＩＤとパスワードとの組を、セキュリティ情報として取得する形態としてもよい。
【００２８】
また、セキュリティ情報取得部２１１は、ＰＯＳ端末２の売上登録処理時等に入力される商品を買い上げた顧客の顧客ＩＤを、セキュリティ情報として取得する。なお、顧客ＩＤの入力方法は特に問わず、例えば、各顧客から提示される顧客カードが、カードリーダ／ライタ２０５で読み取られることで、顧客ＩＤが入力される形態としてもよい。
【００２９】
アクセス処理部２１２及びコンテンツ取得部２１３は、例えば、Ｗｅｂクライアントプログラム（Ｗｅｂブラウザ）により実現される。
【００３０】
ここで、アクセス処理部２１２は、キーボード２０２等を介した店員からの指示に応じて、ストアサーバ４へアクセスを行う。具体的に、アクセス処理部２１２は、図７に示すようなアクセス画面をＧＵＩとして表示器２０４に表示する。ここで、図７は、ＰＯＳ端末２の表示器２０４に表示されたアクセス画面の一例を示す図である。
【００３１】
図７において、アクセスボタンＢ１、Ｂ２は、店員からの操作を受け付ける操作子である。ここで、アクセスボタンＢ１、Ｂ２の各々には、アクセス先のＵＲＬが予め設定されているとともに、このＵＲＬへのアクセス時にパラメータとして付加されるセキュリティ情報の種別が定義されている。
【００３２】
例えば、アクセスボタンＢ１には、ストアサーバ４に格納された店員情報ファイルＦ２を参照するためのＵＲＬ（http://www.xxx.co.jp）が設定されており、このＵＲＬへのアクセス時に付加されるセキュリティ情報として、店員セキュリティ情報が定義されている。また、アクセスボタンＢ２には、ストアサーバ４に格納された顧客情報ファイルＦ３を参照するためのＵＲＬ（http://www.yyy.co.jp）が設定されており、このＵＲＬへのアクセス時に付加されるセキュリティ情報として、顧客セキュリティ情報が定義されている。また、アクセスボタンＢ３には、ストアサーバ４に格納された店舗売上ファイルＦ４を参照するためのＵＲＬ（http://www.zzz.co.jp）が設定されており、このＵＲＬへのアクセス時に付加されるセキュリティ情報として、店員セキュリティ情報及び顧客セキュリティ情報が定義されている。
【００３３】
アクセス処理部２１２は、アクセスボタンＢ１、Ｂ２のうち、何れかのアクセスボタンが選択されると、このアクセスボタンに設定されたＵＲＬに、当該アクセスボタンに定義されたセキュリティ情報を付加してアクセスを行う。
【００３４】
例えば、店員セキュリティ情報として、店員ＩＤ“0000001”が保持されている場合、アクセスボタンＢ１が選択されると、アクセス処理部２１２は、アクセスボタンＢ１のＵＲＬに店員セキュリティ情報を付加した、http://www.xxx.co.jp+店員ＩＤ=0000001”宛てにアクセスを行う。また、顧客セキュリティ情報として、顧客ＩＤ“1000001”が保持されている場合、アクセスボタンＢ２が選択されると、アクセス処理部２１２は、アクセスボタンＢ２のＵＲＬに顧客セキュリティ情報を付加した、“http://www.yyy.co.jp+顧客ＩＤ=1000001”宛てにアクセスを行う。また、上記のセキュリティ情報が保持された状態で、アクセスボタンＢ３が選択されると、アクセス処理部２１２は、アクセスボタンＢ３のＵＲＬに店員セキュリティ情報を付加した、http://www.zzz.co.jp+店員ＩＤ=0000001+顧客ＩＤ=1000001”宛てにアクセスを行う。
【００３５】
なお、本実施形態では、該当するセキュリティ情報が保持されていない場合、その欄を空（ｎｕｌｌ）にしてアクセスを行うものとするが、これに限らず、アクセスを行う前に、該当するセキュリティ情報がＰＯＳ端末２に保持されていない旨を表示器２０４に表示させることで、店員に報知を行う形態としてもよい。
【００３６】
図６に戻り、コンテンツ取得部２１３は、アクセス処理部２１２のアクセスに伴い、ストアサーバ４（後述するコンテンツ提供部４１３）から提供されるコンテンツを取得する。また、コンテンツ取得部２１３は、取得したコンテンツを表示器２０４に表示出力する。なお、ストアサーバ４から、アクセス権限がないことを示すエラー情報が送信された場合には、このエラー情報の内容を示すエラー画面を表示器２０４に表示するものとする。
【００３７】
一方、ストアサーバ４の制御部４１は、ＲＯＭや記憶部４８に記憶されたプログラムを順次実行することにより、アクセス受付部４１１、アクセス制御部４１２及びコンテンツ提供部４１３を機能部として備える。ここで、アクセス受付部４１１、アクセス制御部４１２及びコンテンツ提供部４１３は、例えば、Ｗｅｂサーバプログラムにより実現される。
【００３８】
アクセス受付部４１１は、ＰＯＳ端末２（アクセス処理部２１２）からのアクセスを受け付け、このアクセス先となったＵＲＬと当該ＵＲＬに付加されたセキュリティ情報とを取得する。
【００３９】
アクセス制御部４１２は、アクセス権限ファイルＦ５に登録された各アクセス権限情報に基づき、アクセス受付部４１１が取得したＵＲＬとセキュリティ情報との組に対応するコンテンツを、店員情報ファイルＦ２又は顧客情報ファイルＦ３から読み出す。
【００４０】
例えば、ＵＲＬ“http://www.xxx.co.jp”と、セキュリティ情報“店員ＩＤ=0000001”とがアクセス受付部４１１で取得された場合、アクセス制御部４１２は、店員情報ファイルＦ２に格納された全ての店員情報をコンテンツとして読み出す。また、例えば、ＵＲＬ“http://www.xxx.co.jp”と、セキュリティ情報“店員ＩＤ=0000002”とがアクセス受付部４１１で取得された場合、アクセス制御部４１２は、店員情報ファイルＦ２に登録された、店員ＩＤ=0000002に対応する店員情報をコンテンツとして読み出す。また、例えば、ＵＲＬ“http://www.yyy.co.jp”と、セキュリティ情報“顧客ＩＤ=1000001”とがアクセス受付部４１１で取得された場合、アクセス制御部４１２は、顧客情報ファイルＦ３に登録された、顧客ＩＤ=1000001に対応する顧客情報をコンテンツとして読み出す。また、例えば、ＵＲＬ“http://www.zzz.co.jp”と、セキュリティ情報“店員ＩＤ＝0000002、顧客ＩＤ=1000001”とがアクセス受付部４１１で取得された場合、アクセス制御部４１２は、店舗売上ファイルＦ４に登録された、店員ＩＤ＝0000002及び顧客ＩＤ=1000001の組に対応する顧客情報をコンテンツとして読み出す。
【００４１】
このように、アクセス制御部４１２では、ＰＯＳ端末２からＵＲＬとともに入力されるセキュリティ情報に基づき、そのＵＲＬで提供するコンテンツのアクセス範囲（利用範囲）を制限する。なお、ＵＲＬとセキュリティ情報との組が、アクセス権限ファイルＦ５に登録されたアクセス権限情報の何れにも合致しない場合には、アクセス権限がないことを示すエラー情報を、アクセス元のＰＯＳ端末２に送信する。
【００４２】
コンテンツ提供部４１３は、アクセス制御部４１２が読み出したコンテンツを、アクセス元のＰＯＳ端末２に送信することで、ＰＯＳ端末２にコンテンツの提供を行う。
【００４３】
以下、上記した構成のＰＯＳシステム１の動作について説明する。
【００４４】
まず、図８を参照して、ＰＯＳ端末２で行われるコンテンツ取得処理について説明する。ここで、図８は、ＰＯＳ端末２で実行されるコンテンツ取得処理の一例を示すフローチャートである。なお、本処理の前提として、任意のタイミングで店員セキュリティ情報、顧客セキュリティ情報が予め入力されており、これらのセキュリティ情報がセキュリティ情報取得部２１１により取得されているものとする。
【００４５】
まず、ＰＯＳ端末２のセキュリティ情報取得部２１１は、店員から任意のタイミングでセキュリティ情報（店員セキュリティ情報、顧客セキュリティ情報）が入力されると、このセキュリティ情報を取得し、ＲＡＭ又は記憶部２６に保持する（ステップＳ１１）。
【００４６】
続いて、アクセス処理部２１２は、キーボード２０２等を介した店員からの操作に応じ、図７に示したようなアクセス画面を表示器２０４に表示する（ステップＳ１２）。続いて、アクセス処理部２１２は、アクセス画面に設けられた操作子が選択されるまで待機し（ステップＳ１３；Ｎｏ）、キーボード２０２等を介して何れか一つ操作子の選択を受け付けると（ステップＳ１３；Ｙｅｓ）、その操作子に設定されたＵＲＬに、当該操作子に設定されたセキュリティ情報を付加し、ストアサーバ４にアクセスする（ステップＳ１４）。
【００４７】
次いで、コンテンツ取得部２１３は、ステップＳ１４のアクセスに伴い、ストアサーバ４からコンテンツを受信したか否かを判定する（ステップＳ１５）。ここで、ストアサーバ４からコンテンツを受信した場合（ステップＳ１５；Ｙｅｓ）、コンテンツ取得部２１３は、提供されたそのコンテンツを表示器２０４に表示し（ステップＳ１６）、本処理を終了する。
【００４８】
一方、ステップＳ１５において、アクセス権限がないことを示すエラー情報を受け付けた場合には（ステップＳ１５；Ｎｏ）、コンテンツ取得部２１３は、そのエラー情報に応じたエラー画面を表示器２０４に表示し（ステップＳ１７）、本処理を終了する。
【００４９】
次に、図９を参照して、ストアサーバ４で行われるコンテンツ提供処理について説明する。ここで、図９は、ストアサーバ４で実行されるコンテンツ提供処理の一例を示すフローチャートである。
【００５０】
まず、ストアサーバ４のアクセス受付部４１１では、ＰＯＳ端末２からのアクセスを受け付けると（ステップＳ２１）、このアクセス先となったＵＲＬと当該ＵＲＬに付加されたセキュリティ情報とを取得する（ステップＳ２２）。
【００５１】
続いて、アクセス制御部４１２は、ステップＳ２２で取得されたＵＲＬとセキュリティ情報との組に対応するアクセス権限情報が、アクセス権限ファイルＦ５に存在するか否かを判定する（ステップＳ２３）。ここで、存在しないと判定した場合（ステップＳ２３；Ｎｏ）、アクセス制御部４１２は、アクセス権限がないことを示すエラー情報をアクセス元のＰＯＳ端末２に送信し（ステップＳ２４）、本処理を終了する。
【００５２】
また、ステップＳ２３において、存在すると判定した場合（ステップＳ２３；Ｙｅｓ）、アクセス権限ファイルＦ５に定義されたアクセス権限に基づき、そのＵＲＬとセキュリティ情報との組に対応するコンテンツを、店員情報ファイルＦ２又は顧客情報ファイルＦ３から読み出す（ステップＳ２５）。そして、コンテンツ提供部４１３は、ステップＳ２５で読み出されたコンテンツをアクセス元のＰＯＳ端末２に提供（送信）し（ステップＳ２６）、本処理を終了する。
【００５３】
以上のように、本実施形態によれば、ＰＯＳ端末２では、アクセス画面から何れかの操作子が選択されると、この操作子に設定されたコンテンツの取得先アドレスとなるＵＲＬに、予め入力されたセキュリティ情報を付加してストアサーバ４にアクセスを行う。また、ストアサーバ４では、ＰＯＳ端末２からＵＲＬにセキュリティ情報が付加されたアクセス情報を受け付けると、このセキュリティ情報に応じたアクセス範囲で、ＵＲＬで指定されたコンテンツを読み出し、ＰＯＳ端末２に提供する。これにより、ＰＯＳ端末２では、セキュリティ情報の入力を明示的に行わず、簡易な操作でストアサーバ４からセキュリティ情報に応じたアクセス範囲でコンテンツを取得することができるため、ストアサーバ４からのコンテンツの取得を効率的に行うことができる。
【００５４】
以上、本発明の実施形態を説明したが、上記実施形態は、例として提示したものであり、発明の範囲を限定することは意図していない。上記実施形態は、その他の様々な形態で実施されることが可能であり、発明の要旨を逸脱しない範囲で、種々の省略、置き換え、変更、追加等を行うことができる。また、上記実施形態やその変形は、発明の範囲や要旨に含まれるとともに、特許請求の範囲に記載された発明とその均等の範囲に含まれる。
【００５５】
例えば、上記実施形態では、ＰＯＳ端末２、ストアサーバ４で実行されるプログラムは、各装置が備える記憶媒体（ＲＯＭは記憶部）に予め組み込んで提供するものとするが、これに限らず、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、記憶媒体は、コンピュータ或いは組み込みシステムと独立した媒体に限らず、ＬＡＮやインターネット等により伝達されたプログラムをダウンロードして記憶又は一時記憶した記憶媒体も含まれる。
【００５６】
また、上記実施形態のＰＯＳ端末２、ストアサーバ４で実行されるプログラムをインターネット等のネットワークに接続されたコンピュータ上に格納し、ネットワーク経由でダウンロードさせることにより提供するように構成してもよく、インターネット等のネットワーク経由で提供又は配布するように構成してもよい。
【符号の説明】
【００５７】
１  ＰＯＳシステム
２  ＰＯＳ端末
３  ネットワーク
４  ストアサーバ
２１１  セキュリティ情報取得部
２１２  アクセス処理部
２１３  コンテンツ取得部
４１１  アクセス受付部
４１２  アクセス制御部
４１３  コンテンツ提供部
【先行技術文献】
【特許文献】
【００５８】
【特許文献１】特開２００４−１８５１１２号公報
【図１】
2014052732.tif 000003
【図２】
2014052732.tif 000004
【図３】
2014052732.tif 000005
【図４】
2014052732.tif 000006
【図５】
2014052732.tif 000007
【図６】
2014052732.tif 000008
【図７】
2014052732.tif 000009
【図８】
2014052732.tif 000010
【図９】
2014052732.tif 000011